【手続補正書】
【提出日】平成17年8月30日(2005.8.30)
【手続補正１】
【補正対象書類名】明細書
【補正対象項目名】全文
【補正方法】変更
【補正の内容】
【書類名】      明細書
【発明の名称】  回転工具
【特許請求の範囲】
【請求項１】  手持ち用の把持部（２Ａ）を有する側面略Ｌ字状のケーシング（２）と、このケーシング（２）の把持部（２Ａ）内に内蔵されたモータ（３）と、このモータ（３）の軸心と略直交する軸心を有して前記ケーシング（２）に支持された回転軸（５）と、この回転軸（５）のケーシング（２）から突出された外端に着脱自在に装着された作業具（４）と、前記モータ（３）から回転軸（５）までの動力伝達系に一体回転自在に設けられた係合体（６）と、この係合体（６）に係脱自在に係合して前記回転軸（５）の回転をロックするロック部材（７）とを備えており、前記ケーシング（２）には前記回転軸（５）の軸心に対して直交する貫通孔（２８）が形成されており、この貫通孔（２８）にはブッシュ（２９）が嵌入装着されており、このブッシュ（２９）に前記ロック部材（７）が挿通されるとともに抜け止めされており、前記ロック部材（７）は、ケーシング（２）から外側へ突出した端部に係合方向に人為押動する操作部（７Ａ）を有しており、
前記ロック部材（７）を離脱方向に付勢する付勢手段（８）を前記ロック部材（７）の操作部（７Ａ）と前記ブッシュ（２９）との間に設けていることを特徴とする回転工具。
【請求項２】  前記付勢手段（８）はコイルスプリングを有しており、このコイルスプリングは、その一端部が前記操作部（７Ａ）に当接し、その他端部がブッシュ（２９）に当接していて前記ロック部材（７）を離脱方向に付勢していることを特徴とする請求項１に記載の回転工具。
【発明の詳細な説明】
【０００１】
【発明の属する技術分野】
本発明は、空気工具、電動工具等の回転工具に関する。
【０００２】
【従来の技術】
例えば、グラインダは回転軸の先端に砥石等の作業具を取り付けてネジ止めしており、作業具の取り替えは、回転軸をスパナでロックしておいて、ネジ（ボルトを含む）を回して解除する。この作業具の取り替え作業は、回転軸のロックとネジの回動操作とを同時にしなくてはならないため、やり難い作業になっている。
そこで、回転軸をスパナを使用することなくロックできれば、取り替え作業は非常に簡単になる。
【０００３】
前記回転軸をスパナを使用することなくロックする技術としては、例えば、特許文献１に開示されたものがある。この技術は、手持ち工作機械であって、機械ハウジングと、該機械ハウジング内に収納された、駆動モータと工具収容部との間の駆動力伝達経路もしくはパワートレーンと、当該手持ち工作機械のコントロールされていない不測の運転状態を検知するための検出装置と、ロツク装置とが設けられており、該ロック装置が、コントロールされていない不測の運転状態でパワートレーンを機械ハウジングもしくは該機械ハウジングに固定された構成部分と形状接続的に結合するようになっており、パワートレーンの回転方向では回転不能となるように機械ハウジングに取り付けられた少なくとも１つの係止部材と、パワートレーンでパワートレーンと一緒に回転する少なくとも１つのロック部材とが、互いに係合させられるようになっている形式のものにおいて、係止部材とロック部材とが、軸方向でロック部材の回転軸線の方向で互いに係合させられるようになっている。
【０００４】
【特許文献１】
特開２０００ー２０２７８６号公報（特許請求の範囲）。
【０００５】
【発明が解決しようとする課題】
前記従来技術は、検出装置でコントロールされていない不測の運転状態を検出して、ソレノイドで係止部材をロック部材に係合させて、パワートレーンの回転を停止させるものであり、ロック装置は非作業中に使用できるものではなく、また、機械ハウジングの外部から人為的に操作できるものではない。そのため、作業具の取り替え等のためのパワートレーンの回転停止には応用が困難である。
本発明は、このような従来技術の問題点を解決できるようにした回転工具を提供することを目的とする。
【０００６】
本発明は、動力伝達系に一体回転自在に設けた係合体と係脱自在に係合するロック部材を、ケーシングの外側から人為的に操作して動力伝達系の回転を停止し、作業具の取り替え等の作業が簡便にできるようにした回転工具を提供することを目的とする。
【０００７】
【課題を解決するための手段】
本発明における課題解決のための具体的手段は、次の通りである。
すなわち、本発明に係る回転工具は、手持ち用の把持部２Ａを有する側面略Ｌ字状のケーシング２と、このケーシング２の把持部２Ａ内に内蔵されたモータ３と、このモータ３の軸心と略直交する軸心を有して前記ケーシング２に支持された回転軸５と、この回転軸５のケーシング２から突出された外端に着脱自在に装着された作業具４と、前記モータ３から回転軸５までの動力伝達系に一体回転自在に設けられた係合体６と、この係合体６に係脱自在に係合して前記回転軸５の回転をロックするロック部材７とを備えており、前記ケーシング２には前記回転軸５の軸心に対して直交する貫通孔２８が形成されており、この貫通孔２８にはブッシュ２９が嵌入装着されており、このブッシュ２９に前記ロック部材７が挿通されるとともに抜け止めされており、前記ロック部材７は、ケーシング２から外側へ突出した端部に係合方向に人為押動する操作部７Ａを有しており、前記ロック部材７を離脱方向に付勢する付勢手段８を前記ロック部材７の操作部７Ａと前記ブッシュ２９との間に設けている。
【０００８】
これによって、ロック部材７をケーシング２の外側から人為操作して係合体６に係合すると、回転軸５の回転をロックすることができ、作業具４の取り替え等の作業を簡便にできる。
また、前記付勢手段８はコイルスプリングを有しており、このコイルスプリングは、その一端部が前記操作部７Ａに当接し、その他端部がブッシュ２９に当接していて前記ロック部材７を離脱方向に付勢していることを特徴とする。
【０００９】
【発明の実施の形態】
以下、本発明の実施の形態を図面に基づいて説明する。
図１〜３において、回転工具１はハンドエアーグラインダを例示しており、大別して、ケーシング２と、このケーシング２に内蔵されたモータ３と、ケーシング２に支持されていてモータ３によって回転駆動される回転軸５と、この回転軸５の外端に装着された作業具４とを有し、ロック装置１１が設けられている。
ケーシング２は、側面視略Ｌ字形状で、長辺部分が手持ち用の把持部２Ａとなっていて、外周に滑り止めカバー１２が被覆されており、この把持部２Ａの内部にモータ３が内蔵され、短辺部分に回転軸５がモータ３の軸心と直交して回転自在に支持されている。
【００１０】
前記ケーシング２の長辺部分の端部にはバルブリング１３Ａを有するバルブ装置１３が装着され、圧縮空気供給用のエアーホースが接続可能になっており、このバルブ装置１３内から短辺部分近傍までモータ３のロータ１４が挿入されていて、ケーシング２及びバルブ装置１３によって回転自在に支持され、このロータ１４にブレード１５が挿入され、ロータ１４の先端にベベルピニオン１６が装着されている。
前記回転軸５は、ケーシング２の短辺部分に図１では上下方向に配置され、上下軸受１９、２０によって回転自在に支持され、上下方向（軸方向）中途位置にはロータ１４のベベルピニオン１６と噛合したベベルギヤ２１が装着されていて、ロータ１４から回転軸５へ回転を直角に伝動する動力伝達系が構成されている。
【００１１】
回転軸５は、前記上下軸受１９、２０及びベベルギヤ２１を嵌装した状態でケーシング２の短辺部分の端部（下端部）から内部に挿入し、固定ナット２２を短辺部分の端部に螺合して抜け止めをしている。
この回転軸５の外端には受け体２３が嵌合され、この受け体２３と押さえ体２４とで作業具（砥石等）４を挟み、押さえ体２４に嵌入した取り付けネジ（六角孔付きボルト）２５を回転軸５に螺合することにより、作業具４を回転軸５の外端に一体回転自在にかつ着脱自在に装着している。
【００１２】
前記受け体２３は外周面に六角形部２３Ａ（又は平行二平面）を有しており、この六角形部２３Ａはスパナが係合可能であり、スパナを係合することにより、回転軸５の回転は阻止され、取り付けネジ２５の締弛が可能になり、作業具４の着脱が可能になる。
ケーシング２の長辺部分と短辺部分の交差部には凹部２Ｂが形成され、この凹部２Ｂにロック装置１１が設けられている。このロック装置１１は、回転軸５の内方端（上端）に設けられた係合体６と、ケーシング２の角部に設けられたロック部材７とを有している。
【００１３】
係合体６は円筒部材で形成され、回転軸５の内方端に嵌合してキー着されており、その軸心と直交する係合孔６Ａが貫通形成されていて、外周に２カ所のロック部材７係合用の孔を形成している。
ケーシング２の前記角部には回転軸５の軸心に対して直交する貫通孔２８が形成され、この貫通孔２８にブッシュ２９が嵌入装着され、このブッシュ２９にロック部材７が挿通されるとともに抜け止めもされている。
ロック部材７はピン形状であり、その先端（内端）は前記係合体６の係合孔６Ａに係脱自在に形成され、外端には操作部材３０が固定されていて、操作部７Ａを形成している。ロック部材７にはブッシュ２９と操作部７Ａとの間にコイルスプリングが嵌装され、ロック部材７を離脱方向に付勢する付勢手段８を構成している。
【００１４】
前記操作部材３０は凹部２Ｂ内に位置し、ケーシング２の長辺部分の外面より突出しないように、また短辺部分の外面より突出しないように配置させ、回転工具の障害突起とならないようにしておくことが好ましい。
前記回転工具１は、バルブリング１３Ａを回動操作することにより、エアーホースから圧縮空気がバルブ装置１３内に入り、モータ３に供給されてロータ１４を駆動する。ロータ１４の回転は１対のベベルピニオン１６及びベベルギヤ２１を介して直交する回転軸５に伝達され、回転軸５の外端の作業具４を回転駆動する。
【００１５】
前記作業具４を取り替える場合、人手で把持部２Ａを把持しながら、ロック装置１１の操作部７Ａを人差し指等の指で押動操作する。この操作部７Ａを付勢手段８に抗して押動操作すると、ロック部材７は軸心方向に移動して係合体６の係合孔６Ａに係合し、動力伝達系の構成部材である回転軸５を回転阻止状態にロックする。このロック状態を維持して、取り付けネジ２５を弛めて作業具４を離脱させる。
ロック部材７が係合孔６Ａに係合し難い場合は、作業具４を介して回転軸５を回動すれば、略１８０度以内で係合することができる。
【００１６】
ロック装置１１は機能的には受け体２３の六角形部２３Ａと同様であるが、スパナ等の回動道具は不要であり、ケーシング２を持つ手でロック部材７を操作することができ、回転軸５をロックしているか否かも一目瞭然となり、ロック解除は操作部７Ａから指を離すだけでできる。
なお、本発明は前記実施形態における各部材の形状及びそれぞれの前後・左右・上下の位置関係は、図１〜３に示すように構成することが最良である。しかし、前記実施形態に限定されるものではなく、部材、構成を種々変形したり、組み合わせを変更したりすることもできる。
【００１７】
例えば、回転工具１としては、手持ちのできない設置式でもよく、モータ３に圧縮空気モータを使った空気工具の他に、電動モータを使った電動工具でもよく、ドリル、動力レンチ等の作業具４を装着するものでもよい。
係合体６は、回転軸５の軸方向中途位置又はロータに設けたり、それらに装着されたギヤに係合孔６Ａを形成して兼用化したりしてもよく、係合孔６Ａを係合体６の周囲に１カ所のみ又は３カ所以上設けたり、係合孔６Ａの代わりに有底凹部を形成したりしてもよい。
【００１８】
また、係合体６に係合孔６Ａを回転軸５と平行に穿孔し、ロック部材７もケーシング２の角部上面から回転軸５と平行に挿入し、回転軸５と平行な操作力でロック部材７を係合体６に係合するようにしてもよい。
さらに、回転軸５の回転をロックするのは、作業具４の取り替え以外に、作業具４、ワーク等の点検時にも行って、回転軸５が不本意に回転しないようにしておくのにも有用である。
【００１９】
【発明の効果】
以上詳述した本発明によれば、動力伝達系の回転停止をケーシングの外側から人為的に簡単に行うことができ、それによって作業具の取り替え等の作業が簡便にできる。
【図面の簡単な説明】
【図１】
本発明の実施の形態を示す全体断面側面図である。
【図２】
要部の拡大断面側面図ある。
【図３】
図１のＸ矢視図である。
【符号の説明】
１        回転工具
２        ケーシング
２Ａ      把持部
３        モータ
４        作業具
５        回転軸
６        係合体
６Ａ      係合孔
７        ロック部材
７Ａ      操作部
８        付勢手段
１１      ロック装置
１３      バルブ装置